(57)【要約】【課題】  回転式破砕体の回転慣性が小さく、低下した回転数の回復時間が短く、作業効率の良い木材破砕機を提供する。【解決手段】  回転式破砕体(20)は回転ドラム(21)を備え、該回転ドラム(21)の外周部に雌ねじ(22a,22b)を有する複数個の座部(22)を設ける。回転ドラム(21)は、ドラム(23)と該２本の軸(25,25)とを有し、該２本の軸(25,25)は、回転ドラム(21)の軸方向外方に設けられたケース(11)にそれぞれ軸受(19,19)を介して支持され、前記ドラム(23)は、両端部が前記２本の軸(25,25)にそれぞれ着脱自在に取り付けられ、２本の軸(25,25)及びドラム(23)は、互いの軸心を略合わせるための嵌め合い部(26)と、軸心のずれを防止するためのノックピン(27)とを備える。【選択図】        図４
2005087920.tif 000002
【特許請求の範囲】
【請求項１】
木材破砕機において、
回転ドラム(21)を備え、
前記回転ドラム(21)の外周部に雌ねじ(22a,22b)付の複数個の座部(22)を設けた
ことを特徴とする木材破砕機。
【請求項２】
請求項１記載の木材破砕機において、
前記回転ドラム(21)は、ドラム(23)と２本の軸(25,25)とを有し、
該２本の軸(25,25)は、回転ドラム(21)の軸方向外方に設けられたケース(11)にそれぞれ軸受(19,19)を介して支持され、
前記ドラム(23)は、両端部が前記２本の軸(25,25)にそれぞれ着脱自在に取り付けられ、
前記２本の軸(25,25)及び前記ドラム(23)は、互いの軸心を略合わせるための嵌め合い部(26)と、軸心のずれを防止するためのノックピン(27)とを備えた
ことを特徴とする木材破砕機。
【発明の詳細な説明】
【技術分野】
【０００１】
本発明は、木材を破砕する木材破砕機に関し、特に、回転式破砕体の回転立ち上り時間が短い木材破砕機に関する。
【背景技術】
【０００２】
従来、回転式の木材破砕機については、例えば特許文献１に記載された木材破砕機が知られている。
【０００３】
図６及び図７は、それぞれ特許文献１に記載された木材破砕機の概略側面図及び概略正面一部断面図である。図６、図７において、木材破砕機７０のケース７１には回転式破砕体８０の軸８１の両端部が、図示しない軸受により回転自在に支持されている。軸８１には、複数個のリング体８２が所定の間隔で溶接により取付けられている。リング体８２の外周部には軸８１の長手方向に貫通する６本の軸体８５が取付けられ、軸方向の両端部には図示しない抜け止めが設けられている。隣接する２つのリング体８２，８２の間の、外周部の所定位置には、先端部にビット８３を有する複数個のハンマ８４が挿入され、それぞれ２本の前記軸体８５によりリング体８２に、串刺し状に取付けられている。ケース７１には、所定の大きさの、複数個の排出穴７３を備え、上部に開口部７４を有する略筒状のスクリーン板７２が取付けられており、該スクリーン板７２はビット８３の先端部との間に所定の隙間を有して回転式破砕体８０を覆っている。なお、図６はスクリーン板７２を一部切り欠いて示している。
【０００４】
木材を破砕するときは、図６に示すように、被破砕木材９０をスクリーン板７２の開口部７４の上方から供給し、回転式破砕体８０を回転させてビット８３で破砕する。所定の大きさに破砕された製品９１はスクリーン板７２の排出穴７３から下方に排出される。
【０００５】
【特許文献１】特開２００２−１９２０００号公報（第３頁、第３−４図）
【発明の開示】
【発明が解決しようとする課題】
【０００６】
しかしながら、上記構成においては、以下のような問題点がある。図８は、木材破砕機の一般的な運転状況を示すタイムチャートであり、縦軸は回転式破砕体の回転数、横軸は経過時間を示す。Ｎは目標回転数であり、曲線ｎは回転式破砕体の実回転状況を示す。図８において、破砕作業を開始すると、略目標回転数Ｎで回転していた回転式破砕体８０の回転数は破砕負荷により時間と共に低下する。そして回転数が所定の回転数Ｎ１以下に低下すると、被破砕木材の供給を所定時間（Ｔ１）停止し、回転数を回復させる。回転数が所定値（＞Ｎ１）まで回復すると、再び被破砕木材の供給を開始する。このような動作を繰り返して破砕作業を行うが、作業内容によっては停止時間の合計（Ｔ１＋Ｔ２＋Ｔ３＋・・・）は全体時間の大きな割合を占め、作業効率が低下するという問題が生じている。この停止時間が長い原因の一つとして、回転式破砕体８０の回転数の回復時間が長いことがある。従来のものは前述のように、重量の大きいハンマ８４、軸体８５及びリング体８２が回転式破砕体８０の外周部に位置しているため、回転式破砕体８０の回転慣性が大きく、回復時間が長いので、作業効率を低下させている。
【０００７】
本発明は上記の問題点に着目してなされたもので、低下した回転数の回復時間を短くでき、作業効率の良い木材破砕機を提供することを目的とする。
【課題を解決するための手段】
【０００８】
上記目的を達成するために、第１発明は、木材破砕機において、回転ドラムを備え、前記回転ドラムの外周部に雌ねじ付の複数個の座部を設けた構成としている。
【０００９】
また第２発明は、第１発明の木材破砕機において、前記回転ドラムは、ドラムと２本の軸とを有し、該２本の軸は、回転ドラムの軸方向外方に設けられたケースにそれぞれ軸受を介して支持され、前記ドラムは、両端部が前記２本の軸にそれぞれ着脱自在に取り付けられ、前記２本の軸及び前記ドラムは、互いの軸心を略合わせるための嵌め合い部と、軸心のずれを防止するためのノックピンとを備えた構成としている。
【発明の効果】
【００１０】
第１発明によると、木材破砕機は回転ドラムを備え、回転ドラムの外周部に雌ねじ付の複数個の座部を設けた。そのため、回転ドラムの半径方向に所定の長さの破砕部を前記座部に取付け、破砕部の先端部の最外径を従来と変えずに回転ドラムの直径を小さくすることが可能となり、従来のように重量の重い破砕部取付部材を半径の大きい位置に設ける必要は無い。したがって、回転慣性を小さくすることができ、破砕作業において破砕負荷が大きな被破砕材を破砕している時に、破砕機の回転数が低下した場合でも、回転数の回復時間を短くすることができ、作業効率を向上できる。又、回転ドラムの肉厚を適宜変更することにより、種々の被破砕物（例えば枯れ木材のように軽負荷のものから根株のように重負荷のものまで）に対して、最適な回転慣性力を与えることができ、作業効率を向上できる。さらに、複数個の破砕部を個別に取付けることができ、それぞれを着脱自在にできるので、廃木材破砕時石、釘等が混入して破砕部の一部が損傷した場合でも、交換したい破砕部のみを単独で交換できる。そのため、破砕部の交換部品点数も少なく、短時間で整備可能であり、稼動停止時間が短くなり、作業効率を向上できる。しかも、メインテナンスコストを安くできる。
【００１１】
第２発明によると、回転ドラムを構成するドラムと該ドラムの両端部に着脱自在に取り付ける２本の軸とは、互いの軸心を略合わせるための嵌め合い部と、軸心のずれを防止するためのノックピンとを備えた。そのため、嵌め合い部の精度は厳しくする必要は無く、加工が容易であり、しかも嵌め合い部をガイドとして、２本の軸とドラムとを容易に概略の軸心合わせができる。また、ノックピンの打ち込み等の組立が容易で、ノックピンによりドラム両端部の軸の軸心のずれを防止できるため、軸受への組付けが容易であると共に耐久性を確保でき、さらにコストを安くできる。
【発明を実施するための最良の形態】
【００１２】
以下、本発明に係る木材破砕機の実施形態について、図面を参照して詳細に説明する。
【００１３】
図１は、本発明が適用される自走式木材破砕装置の外観斜視図である。図１において、自走式木材破砕装置１は、機台３の下部に左右１対のクローラ式走行装置２．２を備え、機台３の後部には、木材を破砕する破砕装置４を搭載している。破砕装置４は、被破砕木材が投入されるホッパ５と、該ホッパ５の下方に配置され、略鉛直な軸を中心に回転する回転タブ６と、回転タブ６の下方に設けられた木材破砕機１０とを備えている。また、機台３の前部にはエンジン等の動力源７が搭載され、木材破砕機１０の下方から動力源７の下方を経由し機台３の前方に向けて製品を搬出する排出コンベヤ８が配置されている。
【００１４】
木材破砕作業を行う場合には、自走式木材破砕装置１をクローラ式走行装置２，２により所定位置に移動し、ホッパ５に積込機等で被破砕木材を投入する。投入された被破砕木材は回転タブ６の回転によって木材破砕機１０に供給され、破砕される。破砕された製品は排出コンベヤ８によって機外に搬出される。
【００１５】
図２は実施形態に係る木材破砕機の概略側面図である。図２において、木材破砕機１０のケース１１には、回転式破砕体２０の両端部が軸受（図示せず）により回転自在に支持されており、回転式破砕体２０の両端部には回転式破砕体２０を駆動する油圧モータ１２，１３が連結されている。回転式破砕体２０は軸方向中央部に回転ドラム２１を備え、該回転ドラム２１の外周面の所定位置には、図示しない雌ねじを備えた複数個の座部２２が溶接により固着されている。該座部２２には、それぞれ破砕部３０が着脱自在に取付けられている。ケース１１には、製品の大きさを規定する複数個の排出穴１５を備え、かつ上部に開口部１６を有する略筒状のスクリーン板１４が取付けられており、このスクリーン板１４は、破砕部３０の先端部のビットとの間に所定の隙間を持って回転式破砕体１０の外周部を覆っている。なお、図２において、スクリーン板１４は一部破断して示している。
【００１６】
本木材破砕機１０による破砕作業は従来のものと同様なので、ここでの詳細な説明は省略する。
【００１７】
図３は実施形態に係る回転式破砕体の正面図である。図３において、回転ドラム２１の外周面部の所定位置には、雌ねじ２２ａ，２２ｂを備えた複数個の座部２２が溶接により固着されている。座部２２には、半径方向に所定長さを有し、先端部にビット４０を備えた破砕部３０がそれぞれボルト５０，５１により着脱自在に取り付けられている。本実施形態の回転ドラム２１の外径Ｄはビット４０の最外径Ｅよりも大幅に小さく、しかもこのビット４０の最外径Ｅは従来のものと同一で、前記回転ドラム２１の外径Ｄは従来の回転破砕体８０のリング体８２の外径よりも小さくなるように構成している。
【００１８】
図４は、ケースの軸受に支持された回転ドラムの側面断面図である。図４において、ケース１１の軸方向外方には軸受箱１７，１８を介して一対の軸受１９，１９が取付けられている。回転ドラム２１は、ドラム２３と、軸方向の両端部に着脱自在に取付けられる一対の軸２５，２５とを備えている。すなわち、ドラム２３の軸方向の両端部には側板２４，２４が溶接等で取付けられており、両側の側板２４，２４にそれぞれ軸２５，２５が着脱自在に取付けられている。側板２４と軸２５との間には、嵌め合い部２６とノックピン２７とが設けられている。
【００１９】
図５は、本実施形態のドラムと軸との取付部の詳細図である。図５において、ドラム２３の端部に取り付けられた側板２４には、略中心部に嵌め合い穴２４ａが形成されている。軸２５の取付端部に形成されたフランジ２５ａには、前記嵌め合い穴２４ａに嵌合する段付部２５ｂが設けられており、該段付部２５ｂと嵌め合い穴２４ａとで嵌め合い部２６を構成している。側板２４の嵌め合い穴２４ａの直径Ａは、軸２５の段付部２５ｂの直径Ｂよりも所定長さだけ大きく設定されており、例えばＡ＝Ｂ＋４ｍｍに設定する。軸２５のフランジ２５ａは側板２４にボルト２８により締着され、軸２５及びドラム２３は、図３に示すように対向位置に配置された２本のノックピン２７，２７により位置決めされ、両端部の軸２５，２５の心ずれを防止している。
【００２０】
以上説明したように、本発明によると、回転ドラムを備え、該回転ドラムの外周部に雌ねじ付の複数個の座部を設けたため、従来のように重量の重い破砕部取付部材を半径の大きい位置に設ける必要は無くなり、よって回転慣性を小さくすることができる。これにより、ビットの最外径寸法が同一で作業能力を確保した上、さらに破砕負荷で回転数が低下した場合、回転数の回復時間を短くすることができ、作業効率を向上できる。また、回転ドラムは、ドラムと該ドラムの両端部に着脱自在に取り付ける２本の軸とを備え、この２本の軸はドラム両端部に嵌め合わせて取り付け、ノックピンで心ずれを防止する構成なので、回転ドラムの加工が容易にでき、また軸受への組付けが容易にできる。
【産業上の利用可能性】
【００２１】
本発明の活用例として、上記実施形態の木材破砕機は履帯式の自走式木材破砕装置に搭載したものであるが、木材破砕装置の他の移動形式、例えば車輪式、牽引式等にも適用可能である。また、定置式木材破砕装置にも適用できる。
【図面の簡単な説明】
【００２２】
【図１】本発明が適用される自走式木材破砕装置の外観斜視図である。
【図２】実施形態に係る木材破砕機の概略側面図である。
【図３】実施形態に係る回転式破砕体の正面図である。
【図４】実施形態に係る回転ドラムの側面断面図である。
【図５】実施形態に係るドラムと軸との取付部の詳細図である。
【図６】従来の木材破砕機の概略側面図である。
【図７】従来の木材破砕機の概略正面一部断面図である。
【図８】木材破砕機の一般的な運転状況を示すタイムチャートである。
【符号の説明】
【００２３】
１…自走式木材破砕装置、４…破砕装置、５…ホッパ、６…回転タブ、１０…木材破砕機、１１…ケース、１４…スクリーン板、１７，１８…軸受箱、１９…軸受、２０…回転式破砕体、２１…回転ドラム、２２…座部、２２ａ，２２ｂ…雌ねじ、２３…ドラム、２４…側板、２４ａ…嵌め合い穴、２５…軸、２５ａ…フランジ、２５ｂ…段付部、２６…嵌め合い部、２７…ノックピン、３０…破砕部、４０…ビット、７２…スクリーン板、８０…回転式破砕体、８１…軸、８２…リング体、８３…ビット、８４…ハンマ、８５…軸体。
【図１】
2005087920.tif 000003
【図２】
2005087920.tif 000004
【図３】
2005087920.tif 000005
【図４】
2005087920.tif 000006
【図５】
2005087920.tif 000007
【図６】
2005087920.tif 000008
【図７】
2005087920.tif 000009
【図８】
2005087920.tif 000010